(57)【要約】【課題】容易に製造でき、且つフォトセンサの検出精度を向上させることができるフォトセンサ支持部材、および当該フォトセンサ支持部材を備えた遊技機を提供する。【解決手段】流路形成部４２は、第一壁部５０と、第一壁部５０に対向配置される第二壁部６０とを有する。第一壁部５０と第二壁部６０の間に遊技球の流路４３が形成される。フォトセンサの発光素子および受光素子は、流路４３を間に挟むように固定される。第一壁部５０および第二壁部６０には、発光素子および受光素子の各々を流路４３に向けて開放させる第一開口部５５および第二開口部６５が形成される。発光素子と受光素子を共に通過する直線に平行な方向において、第一開口部５５の開口領域の一部が第二開口部６５の開口領域の一部に重複する。重複した領域が、発光素子と受光素子を共に通過する直線上に位置する。【選択図】図５
2014004189.tif 000002
【特許請求の範囲】
【請求項１】
発光素子によって発光された光を受光素子が受光するか否かによって遊技球の通過を検出するフォトセンサを支持するフォトセンサ支持部材であって、
第一壁部と、前記第一壁部に対向配置される第二壁部とを有し、前記第一壁部と前記第二壁部の間に遊技球の流路を形成する流路形成部と、
前記発光素子と前記受光素子が前記流路を挟むように、前記第一壁部の外側と前記第二壁部の外側の各々に前記発光素子と前記受光素子を固定する固定部と、
前記第一壁部および前記第二壁部に形成され、前記固定部に固定された前記発光素子および前記受光素子の各々を前記流路に向けて開放させる第一開口部および第二開口部とを備え、
前記発光素子と前記受光素子を共に通過する直線に平行な方向において、前記第一開口部の開口領域の一部が前記第二開口部の開口領域の一部に重複し、且つ、前記第一開口部の開口領域と前記第二開口部の開口領域との重複領域が前記直線上に位置することを特徴とするフォトセンサ支持部材。
【請求項２】
前記第一開口部および前記第二開口部が長孔であることを特徴とする請求項１に記載のフォトセンサ支持部材。
【請求項３】
前記直線と平行な方向において、前記第一開口部の長手方向一端部の開口領域のみが、前記第二開口部の長手方向一端部の開口領域に重複することを特徴とする請求項２に記載のフォトセンサ支持部材。
【請求項４】
前記直線と、前記流路の幅方向の中心位置とがずれており、
前記第二壁部は、前記第一壁部の下方に位置して前記流路の底壁を形成し、
前記第二壁部に設けられた前記第二開口部は、前記第二壁部の幅方向の両端部のうち前記直線に近い方の端部から、前記直線と交差する位置まで延びることを特徴とする請求項３に記載のフォトセンサ支持部材。
【請求項５】
請求項１から４のいずれかに記載のフォトセンサ支持部材を備えたことを特徴とする遊技機。
【発明の詳細な説明】
【技術分野】
【０００１】
本発明は、フォトセンサを支持するフォトセンサ支持部材、および当該フォトセンサ支持部材を備えた遊技機に関する。
【背景技術】
【０００２】
従来の遊技機では、遊技球の通過を検出するためにフォトセンサが用いられる場合がある。フォトセンサは、発光素子と受光素子を備える。発光素子と受光素子は、離間した状態で、互いに対向するように設けられている。発光素子と受光素子の間を遊技球が通過すると、発光素子から受光素子へ向けて発光された光が遊技球によって遮断される。従って、フォトセンサは、受光素子によって光が受光されているか否かによって、遊技球の通過を検出することができる。
【０００３】
特許文献１が開示する遊技機は、フォトセンサ支持部材を備える。作業者は、フォトセンサ支持部材を用いることで、フォトセンサを遊技機本体に組み付けることができる。
【先行技術文献】
【特許文献】
【０００４】
【特許文献１】特開２００９−６６０７７号公報
【発明の概要】
【発明が解決しようとする課題】
【０００５】
発光素子から発光された光の全てが真っ直ぐに受光素子に向かえば、検出漏れは生じ難い。しかし、受光素子に真っ直ぐに向かわずに逸れた光が、屈曲または反射して受光素子に入射すると、発光素子と受光素子の間を遊技球が通過しても、受光素子へ入射する光が遮断されない場合が生じる。この場合、遊技球の通過の検出漏れとなる。フォトセンサ支持部材には、発光素子から受光素子へ光を通過させるための開口部が設けられる場合がある。開口部を小さくする程、光が屈曲・反射して受光素子に入射する可能性を低下させることができる。しかし、開口部を小さくすると、フォトセンサを製造するための金型の形状が複雑化し、製造コストが増大する。小さい開口部が塵等によって塞がれて、検出不良を起こす場合もある。従って、フォトセンサの検出精度を向上させることが可能なフォトセンサ支持部材を容易に製造することは、従来の技術では困難であった。
【０００６】
本発明は、容易に製造でき、且つフォトセンサの検出精度を向上させることができるフォトセンサ支持部材、および当該フォトセンサ支持部材を備えた遊技機を提供することを目的とする。
【課題を解決するための手段】
【０００７】
本発明の第一態様に係るフォトセンサ支持部材は、発光素子によって発光された光を受光素子が受光するか否かによって遊技球の通過を検出するフォトセンサを支持するフォトセンサ支持部材であって、第一壁部と、前記第一壁部に対向配置される第二壁部とを有し、前記第一壁部と前記第二壁部の間に遊技球の流路を形成する流路形成部と、前記発光素子と前記受光素子が前記流路を挟むように、前記第一壁部の外側と前記第二壁部の外側の各々に前記発光素子と前記受光素子を固定する固定部と、前記第一壁部および前記第二壁部に形成され、前記固定部に固定された前記発光素子および前記受光素子の各々を前記流路に向けて開放させる第一開口部および第二開口部とを備え、前記発光素子と前記受光素子を共に通過する直線に平行な方向において、前記第一開口部の開口領域の一部が前記第二開口部の開口領域の一部に重複し、且つ、前記第一開口部の開口領域と前記第二開口部の開口領域との重複領域が前記直線上に位置することを特徴とする。
【０００８】
本発明に係るフォトセンサ支持部材では、発光素子から発光された光は、第一開口部の開口領域（以下、「第一開口領域」という。）と、第二開口部の開口領域（以下、「第二開口領域」という。）とを共に通過した場合に、受光素子に入射する。受光素子に真っ直ぐに向かわずに逸れた光は、反射・屈曲した場合でも、第一壁部および第二壁部によって遮断されやすい。発光素子と受光素子を通過する直線と平行な方向において、第一開口領域の一部が、第二開口領域の一部に重複する。従って、第一開口部および第二開口部（以下、まとめて「開口部」という場合もある。）を小さく設計しなくても、第一開口部および第二開口部の位置、形状等を調整することで重複領域を小さくし、逸れた光を効率よく遮断することができる。開口部が塵等によって塞がる可能性も低い。よって、本発明に係るフォトセンサ支持部材は、容易に製造でき、且つフォトセンサの検出精度を向上させることができる。
【０００９】
前記第一開口部および前記第二開口部が長孔であってもよい。金型を用いて長孔を形成するのは、小さい孔を形成する場合に比べて容易であり、金型の強度も確保し易い。さらに、開口部を長孔とすれば、円形、多角形等の他の形状とする場合に比べて、重複領域の形状および大きさを容易に調整できる。
【００１０】
前記直線と平行な方向において、前記第一開口部の長手方向一端部の開口領域のみが、前記第二開口部の長手方向一端部の開口領域に重複してもよい。この場合、長孔である２つの開口部の端部の位置を調整するだけで、小さい重複領域を容易に形成して検出精度を向上させることができる。
【００１１】
前記直線と、前記流路の幅方向の中心位置とがずれていてもよい。前記第二壁部は、前記第一壁部の下方に位置して前記流路の底壁を形成してもよい。前記第二壁部に設けられた前記第二開口部は、前記第二壁部の幅方向の両端部のうち前記直線に近い方の端部から、前記直線と交差する位置まで延びてもよい。この場合、第二壁部に設けられた第二開口部が流路の幅方向の中心を横切ることは無い。従って、流路を通過する遊技球は、第二開口部に接触し難い。よって、フォトセンサ支持部材は、遊技球が第二開口部で停止する可能性を低下させることができる。
【００１２】
本発明の第二態様に係る遊技機は、前記フォトセンサ支持部材を備える。従って、当該遊技機は、前記フォトセンサ支持部材と同様の作用効果を奏することができる。
【図面の簡単な説明】
【００１３】
【図１】パチンコ機１の正面図である。
【図２】支持板４の背面図である。
【図３】入賞球処理ユニット２０の背面図である。
【図４】フォトセンサ２３を右斜め上方から見た斜視図である。
【図５】フォトセンサ支持部材４０を左斜め上方から見た斜視図である。
【図６】フォトセンサ支持部材４０を右斜め下方から見た斜視図である。
【図７】フォトセンサ２３を支持しているフォトセンサ支持部材４０の正面図である。
【図８】図７におけるＡ−Ａ線矢視方向断面図である。
【図９】図８に示す直線Ｔと平行な方向において第一開口部５５近傍を上方から見た場合の模式図である。
【発明を実施するための形態】
【００１４】
以下、本発明の一実施形態であるフォトセンサ支持部材４０、およびフォトセンサ支持部材４０を備えたパチンコ機１について、図面を参照して説明する。まず、図１を参照して、パチンコ機１の概略構成について説明する。以下の説明では、図１の手前側、奥側、上側、下側、左側、右側を、それぞれ、パチンコ機１の前側（正面側）、後側（背面側）、上側、下側、左側、右側とする。
【００１５】
パチンコ機１の上半分には遊技盤２が設けられている。遊技盤２は正面視略正方形であり、透明なガラス板を保持した前面枠１３によって前面を保護されている。遊技盤２の背面側は、支持板４（図２参照）によって支持される。遊技盤の下部には上皿５が設けられている。上皿５は、発射機に遊技球を供給し、且つ賞品球を受ける。上皿５の上部中央には、遊技者によって操作される操作ボタン９が配設されている。上皿５の直下には、賞品球を受ける下皿６が設けられている。下皿６の右横には、遊技球の発射を調整する発射ハンドル７が設けられている。
【００１６】
遊技盤２の前面には、ガイドレール３で囲まれた略円形の遊技領域が形成されている。遊技領域の略中央には、ＬＣＤ（液晶ディスプレイ）等で構成される表示装置１０が配設されている。表示装置１０は、動画、メッセージ等の様々な映像を表示する。表示装置１０の下方には、第一特別図柄始動入賞口１４が設けられている。表示装置１０の右方には普通図柄始動ゲート１２が設けられており、普通図柄始動ゲート１２の下方には第二特別図柄始動電動役物１５が配設されている。第二特別図柄始動電動役物１５の左斜め下方には、通常アタッカー１６が設けられている。第一特別図柄始動入賞口１４の直下には、Ｖアタッカー１７が設けられている。
【００１７】
第二特別図柄始動電動役物１５は開閉部材を備える。第二特別図柄始動電動役物１５の開閉部材が開放状態となると、第二特別図柄始動電動役物１５への遊技球の入賞が可能となる。通常アタッカー１６およびＶアタッカー１７も開閉部材を備える。遊技球は、開閉部材が開放した状態でのみ、通常アタッカー１６およびＶアタッカー１７に入賞できる。各開閉部材はソレノイドによって電気的に開閉される。
【００１８】
パチンコ機１では、普通図柄始動ゲート１２を遊技球が通過すると、普通当たり判定が行われる。その結果、普通当たりであると判定されると、第二特別図柄始動電動役物１５が開放される。第一特別図柄始動入賞口１４または第二特別図柄始動電動役物１５に遊技球が入賞すると、大当たり判定が行われる。その結果、大当たりであると判定されると、通常アタッカー１６およびＶアタッカー１７が所定の順序で開放される大当たり遊技が実行される。図示しないが、Ｖアタッカー１７に入賞した遊技球の流路には、特定領域および非特定領域が形成されている。パチンコ機１では、大当たり遊技中に遊技球がＶアタッカー１７内の特定領域を通過することが、大当たり遊技終了後に確率変動状態を生起する条件となっている。なお、遊技盤２の背面側には、遊技の主制御、各種演出等を制御する制御部が設けられている。
【００１９】
図２を参照して、支持板４の構造について説明する。支持板４は、背面視略矩形の板状部材であり、遊技盤２（図１参照）を支持する。支持板４の上半分には、遊技盤２の表示装置１０（図１参照）等を正面側に開放させるための第一開放孔１８が形成されている。支持板４の下部の中央には、第一特別図柄始動入賞口１４およびＶアタッカー１７（図１参照）を正面側に開放させるための第二開放孔１９が形成されている。第二開放孔１９の右側には、入賞球処理ユニット２０が装着されている。入賞球処理ユニット２０は、通常アタッカー１６（図１参照）の背面側、且つＶアタッカー１７の右側に位置する。
【００２０】
図３を参照して、入賞球処理ユニット２０について説明する。入賞球処理ユニット２０は、通常アタッカー１６に入賞した遊技球、および、Ｖアタッカー１７に入賞して特定領域を通過した遊技球を排出（処理）する。入賞球処理ユニット２０は、背面視略矩形状であり、螺子（図示ぜず）によって支持板４の背面側に装着される。入賞球処理ユニット２０の右上部には、通常入賞球処理部２１が設けられている。通常入賞球処理部２１は、通常アタッカー１６に入賞した遊技球を、流下するスピードを低下させつつ下方へ排出する。入賞球処理ユニット２０の左下部には、特定領域通過球処理部２２が設けられている。
【００２１】
特定領域通過球処理部２２は、Ｖアタッカー１７に入賞して特定領域を通過した遊技球を検出し、且つ、検出した遊技球を下方へ排出する。特定領域通過球処理部２２は、フォトセンサ２３と、フォトセンサ支持部材４０と、センサ固定用カバー３４とを備える。フォトセンサ支持部材４０は、特定領域を通過した遊技球の流路４３（図５から図９参照）を備え、且つ、フォトセンサ２３を支持する。フォトセンサ支持部材４０は、２つの螺子４１によって入賞球処理ユニット２０に固定される。センサ固定用カバー３４は、上下方向を長手方向とし、且つフォトセンサ２３よりも横幅が大きい背面視矩形状の部材である。センサ固定用カバー３４は、２つの螺子３５によってフォトセンサ支持部材４０に背面側から固定されることで、フォトセンサ２３をフォトセンサ支持部材４０に固定する。
【００２２】
図４を参照して、フォトセンサ２３について説明する。フォトセンサ２３は基部２４を備える。基部２４は、上下方向に延びる四角柱状の部位と、上端部から前方に突出する部位とを備える。基部２４の上端部には、コネクタ（図示せず）を接続するための接続部２５が設けられている。
【００２３】
基部２４の上部には、前方に突出する角柱状の第一素子保持部２６が設けられている。第一素子保持部２６の底面にはスリット２７が形成されている。スリット２７は、正面側端部の左右方向中心から後方へ真っ直ぐに延びる。第一素子保持部２６の内部には、受光素子（本実施形態ではフォトトランジスタ）２８が保持されている。受光素子２８の下方は、スリット２７によって開放されている。基部２４の下部には、前方に突出する角柱状の第二素子保持部２９が設けられている。第二素子保持部２９の上面には、正面側端部の左右方向中心から後方へ延びるスリット３０が形成されている。第二素子保持部２９の内部には、発光素子（本実施形態では赤外発光ダイオード）３１が保持されており、発光素子３１の上方はスリット３０によって開放されている。なお、第一素子保持部２６に発光素子３１が保持されていてもよい。この場合、第二素子保持部２９には受光素子２８が保持される。
【００２４】
光を遮断する物質（具体的には遊技球）が発光素子３１と受光素子２８の間に存在しない場合、発光素子３１から発光された光（赤外光）は、スリット３０から上方へ延び、スリット２７を通過して受光素子２８へ向かう。フォトセンサ２３は、発光素子３１によって発光された光を受光素子２８が受光することで、発光素子３１と受光素子２８の間に遊技球が存在しないことを検出する。一方で、フォトセンサ２３は、発光素子３１によって発光された光を受光素子２８が受光しない場合、発光素子３１と受光素子２８の間に遊技球が存在することを検出する。
【００２５】
発光素子３１から発光された光は、全てが受光素子２８に向かうわけではなく、拡散する。発光素子３１と受光素子２８の間に遊技球が存在している場合であっても、拡散した光が遊技球の流路等によって屈曲・反射し、受光素子２８に入射すると、フォトセンサ２３は遊技球を検出できない。従って、拡散した光を遮断し、発光素子３１から受光素子２８へ真っ直ぐに延びる光の経路を狭くすることで、フォトセンサ２３の検出精度を向上させることができる。
【００２６】
図５から図９を参照して、フォトセンサ支持部材４０について詳細に説明する。図５および図６に示すように、フォトセンサ支持部材４０は流路形成部４２を備える。流路形成部４２は、左方から進入してきた遊技球を右下方へ誘導するための流路４３を形成する。
【００２７】
流路形成部４２は、第一壁部５０、第二壁部６０、および第三壁部７０を備える。第一壁部５０は、フォトセンサ支持部材４０の上部に位置する。第一壁部５０の右側は、下方に向かって円弧状に湾曲している。図５に示すように、第一壁部５０の左側には、下側に凹んだ第一固定部５１が形成されている。第一固定部５１には、フォトセンサ２３の第一素子保持部２６（図４参照）が固定される。
【００２８】
第二壁部６０は、フォトセンサ支持部材４０の下部において、第一壁部５０に対向配置される。図７に示すように、第二壁部６０の上面は平坦面に形成されており、右下に傾いている。図８に示すように、第二壁部６０の外側（下方）には、フォトセンサ２３の第二素子保持部２９を固定する第二固定部６１が形成されている。つまり、フォトセンサ２３は、第一固定部５１と第二固定部６１によってフォトセンサ支持部材４０に固定される。第一固定部５１および第二固定部６１は、本発明の「固定部」の一例である。
【００２９】
図５および図６に示すように、第三壁部７０は、第一壁部５０の背面側端部から下方へ延び、第二壁部６０の背面側端部に接続する。つまり、第一壁部５０は流路４３の上壁を形成し、第二壁部６０は流路４３の底壁を形成し、第三壁部７０は流路４３の背面側の壁を形成する。なお、流路４３の正面側は、入賞球処理ユニット２０（図３参照）の壁面によって閉塞される。第一壁部５０、第二壁部６０、第三壁部７０、および入賞球処理ユニット２０によって形成される流路４３の幅（前後方向の幅）は、遊技球の直径よりも僅かに大きい。従って、遊技球は、第二壁部６０の中心部近傍を転がりながら右下方へ排出される。
【００３０】
第一壁部５０の右上部、および第二壁部６０の左下部には、挿通孔４５が設けられている。挿通孔４５には、フォトセンサ支持部材４０を固定するための螺子４１（図３参照）が挿通される。また、図５に示すように、第一壁部５０の左端部には、後方に延びるリブ５２が形成されている。リブ５２の後端の上部および下部の各々には、螺子が挿通される挿通孔５３が設けられている。挿通孔５３に挿通された螺子は、Ｖアタッカー１７（図１参照）の右側面に締め付けられる。その結果、Ｖアタッカー１７とフォトセンサ支持部材４０とが強固に固定される。
【００３１】
図５に示すように、第一壁部５０のうち、第一固定部５１が設けられた部分には、第一開口部５５が形成されている。第一開口部５５は、第一固定部５１に固定された第一素子保持部２６の受光素子２８（図４参照）を、下方の流路４３に向けて開放させる。図６に示すように、第一開口部５５の形状は、前後方向を長手方向とする長孔形状である。詳細には、第一開口部５５の後端部は半円形（Ｕ字状）に形成されている。図９に示すように、第一開口部５５は、第一壁部５０の前端部近傍から、前後方向中心よりもやや後方まで延びる。よって、遊技球４７が流路４３を通過する場合、遊技球４７の中心は第一開口部５５を横断する。しかし、第一壁部５０は流路４３の上壁であるため、遊技球４７が第一壁部５０の壁面を転がることは無い。よって、遊技球４７が第一開口部５５に嵌まることは無い。
【００３２】
図８に示すように、第二壁部６０のうち、第二固定部６１が設けられた部分には、第二開口部６５が形成されている。第二開口部６５は、第二固定部６１に固定された第二素子保持部２９の発光素子３１を、上方の流路４３に向けて開放させる。図５に示すように、第二開口部６５の形状は、前後方向を長手方向とする長孔形状である。詳細には、第二開口部６５の前端部は半円形（Ｕ字状）に形成されている。半円形の凸の方向は、第一開口部５５の凸の方向と逆である。本実施形態では、第二開口部６５の左右方向の幅は、第一開口部５５の左右方向の幅と等しい。図９に示すように、第二開口部６５は、第二壁部６０（図５等参照）の前端部から前方に延びるが、第二壁部６０の前後方向中心には至らない。よって、遊技球４７は、第二壁部６０の第二開口部６５に嵌まることは無い。
【００３３】
図８に示すように、発光素子３１と受光素子２８を共に通過する直線をＴとする。図９に示すように、直線Ｔに平行な方向から第一開口部５５および第二開口部６５を見ると、第一開口部５５の開口領域（以下、「第一開口領域」という。）の一部と、第二開口部６５の開口領域（以下、「第二開口領域」という。）の一部とが重複する。第一開口領域と第二開口領域とが重複する重複領域が、直線Ｔ上に位置する。
【００３４】
図８に示すように、発光素子３１から発光された光のうち、第二開口部６５の第二開口領域を通過し、且つ、第一開口部５５の第一開口領域を通過した光のみが、受光素子２８に入射する。つまり、発光素子３１から発光された光は、図９に示す重複領域を通過した場合にのみ、受光素子２８に入射する。発光素子３１から受光素子２８に真っ直ぐに向かわずに逸れた光は、第一壁部５０および第二壁部６０によって遮断される。従って、第一開口部５５および第二開口部６５を小さく設計しなくても、第一開口部５５および第二開口部６５の位置、形状等を調整して重複領域を小さくし、逸れた光を効率よく遮断することができる。第一開口部５５および第二開口部６５が塵等によって塞がる可能性も低い。よって、フォトセンサ支持部材４０は、容易に製造でき、かつフォトセンサ２３の検出精度を向上させることができる。第一開口部５５および第二開口部６５を小さく設計する場合に比べて、変形および製造誤差によって検出精度が悪化する可能性も低下する。
【００３５】
前述したように、第一開口部５５および第二開口部６５は共に長孔である。金型を用いて長孔を形成するのは、長孔の端手方向の幅と同一の直径を有する小さい丸孔を形成する場合に比べて容易であり、且つ金型の強度も確保し易い。さらに、第一開口部５５および第二開口部６５を長孔とすれば、円形、多角形等の他の形状とする場合に比べて、重複領域の形状および大きさを容易に調整できる。よって、フォトセンサ２３の検出精度をより容易に向上させることができる。第一開口部５５および第二開口部６５を共に長孔とした場合でも、第一開口領域および第二開口領域の一方の領域全体が他方の領域に重複していれば、重複領域の形状が長孔の形状と一致してしまい、反射・屈曲による検出漏れが生じ得る。本実施形態で例示したように、長孔である第一開口部５５および第二開口部６５の一部同士を重複させることで、重複領域の形状および大きさを調整してフォトセンサ２３の検出精度を向上させることができる。
【００３６】
図９に示すように、直線Ｔと平行な方向において、第一開口部５５の長手方向一端部（後端側の端部）の第一開口領域のみが、第二開口部６５の長手方向一端部（前端側の端部）の第二開口領域に重複する。従って、第一開口部５５および第二開口部６５の端部の位置を調整するだけで、小さい重複領域を容易に形成して検出精度を向上させることができる。
【００３７】
図９に示すように、直線Ｔは、流路４３の幅方向（図９の上下方向）の中心位置よりも後方を通過している。つまり、流路４３の後方の端部５４から直線Ｔまでの距離Ｄ１は、流路４３の前方の端部５６から直線Ｔまでの距離Ｄ２よりも短い。よって、直線Ｔと、流路４３の幅方向の中心位置とがずれている。そして、第二壁部６０（図５から図８参照）に設けられた第二開口部６５は、第二壁部６０の幅方向の両端部のうち直線Ｔに近い方の端部５４から、直線Ｔと交差する位置まで延びる。従って、第二壁部６０に設けられた第二開口部６５が流路４３の幅方向の中心を横切ることは無いため、流路４３を通過する遊技球４７は第二開口部６５に接触しない。よって、フォトセンサ支持部材４０は、遊技球４７が第二開口部６５で停止する可能性を低下させることができる。
【００３８】
直線Ｔに平行な方向から見た場合の発光素子３１および受光素子２８の形状は、円形である。本実施形態では、第一開口部５５の後端部、および第二開口部６５の前端部は共に半円形であるため、重複領域の形状が円形となる。よって、重複領域の形状が他の形状である場合に比べて、発光素子３１から受光素子２８に向かわずに逸れる光をより効率よく遮断することができる。
【００３９】
本発明は、以上詳述した実施形態に限定されるものではなく、本発明の要旨を逸脱しない範囲内で種々の変更が可能であることは勿論である。例えば、上記実施形態の第一開口部５５および第二開口部６５は、共に長孔である。よって、重複領域の形状および大きさを容易に調整できる。しかし、第一開口部５５および第二開口部６５の形状を変更することも可能である。例えば、第一開口部５５および第二開口部６５を、円形、四角形等にしてもよい。第一開口部５５および第二開口部６５の形状を変更しても、第一開口領域の一部と第二開口領域の一部とを直線Ｔに平行な方向で重複させることで、フォトセンサ２３の検出精度は向上する。
【００４０】
上記実施形態では、第一壁部５０が流路４３の上壁を形成し、且つ、第二壁部６０が流路４３の底壁を形成する。しかし、第一壁部５０および第二壁部６０は対向配置されていればよい。従って、第一壁部５０および第二壁部６０が流路４３の両側壁を形成する場合でも、本発明は実現できる。
【００４１】
上記実施形態では、第一開口部５５の後端部の領域と、第二開口部６５の前端部の領域とが重複する。従って、２つの開口部５５，６５の端部の位置を調整するだけで、小さい重複領域を容易に形成することができる。しかし、２つの開口部５５，６５の端部同士を重複させなくても、本発明は実現可能である。例えば、長孔である第一開口部５５の中央と第二開口部６５の中央とが、直線Ｔに平行な方向において交差するように、２つの開口部５５，６５を配置してもよい。この場合、重複領域の形状は四角形となるが、上記実施形態と同様に、重複領域を容易に小さくすることができる。上記実施形態では、２つの開口部５５，６５は共に前後方向を長手方向とする。しかし、２つの開口部５５，６５の長手方向は平行である必要は無い。
【００４２】
上記実施形態では、第一開口部５５の後端部の形状、および第二開口部６５の前端部の形状は、共に半円形（Ｕ字状）である。従って、重複領域の形状が円形となり、フォトセンサ２３の検出精度をより効率よく向上させることができる。しかし、２つの開口部５５，６５の端部の形状を変更しても、フォトセンサ２３の検出精度は向上する。
【符号の説明】
【００４３】
１    パチンコ機
２３    フォトセンサ
２６    第一素子保持部
２８    受光素子
２９    第二素子保持部
３１    発光素子
４０    フォトセンサ支持部材
４２    流路形成部
４３    流路
５０    第一壁部
５１    第一固定部
５４    端部
５５    第一開口部
６０    第二壁部
６１    第二固定部
６５    第二開口部
【図１】
2014004189.tif 000003
【図２】
2014004189.tif 000004
【図３】
2014004189.tif 000005
【図４】
2014004189.tif 000006
【図５】
2014004189.tif 000007
【図６】
2014004189.tif 000008
【図７】
2014004189.tif 000009
【図８】
2014004189.tif 000010
【図９】
2014004189.tif 000011